(57)【特許請求の範囲】
【請求項１】
正面に吸気口を有し側面に複数の排気口を有する本体ケースと、前記本体ケース内の風路に設置され吸い込まれた空気を浄化するフィルタと、前記本体ケース内に設置され前記吸気口を設けてなる面と直交するように配置された軸心を中心として回転するシロッコファンと、前記シロッコファンの周囲に設置され前記シロッコファンによって排気される空気を前記排気口へと誘導する案内壁とからなる空気清浄機において、
前記排気口は前記シロッコファンの軸心を交点として直交し前記シロッコファンを４等分する２本の仮想軸が、前記側面と交わる点を開口部の終点とし、前記シロッコファンの反回転方向側に開口部の始点を設けた形状とし、前記案内壁の舌部を前記排気口の前記終点部に配置し、前記案内壁の他端部を前記シロッコファンの回転方向側で次の排気口の始点部に配置したことを特徴とする空気清浄機。
【発明の詳細な説明】
【０００１】
【発明の属する技術分野】
本発明は、室内空気や局所的に発生した汚染空気を清浄化する空気清浄機に関する。
【０００２】
【従来の技術】
従来の空気清浄機としては、図３に示すようなものがある。図３は従来の空気清浄機の外観を示す斜視図である。図４は図３の吸気口側から見た正断面図である。図において、１は本体ケース、２は本体ケース１の正面に設けられた吸気口、３は本体ケース１の側面に設けられた排気口である。４は送風装置となる矢印Ａの方向に回転するシロッコファン、４ａは吸気口２を設けてなる面と直交するように本体ケース１内に設置されたシロッコファン４の軸心である。また、５はシロッコファン４の周囲に配置されシロッコファン４によって吸い込まれた空気を排気口３へと誘導する案内壁であり、５ａはその舌部である。
以下、上記のような構成における空気清浄機の動作について説明する。
軸心４ａを中心として矢印Ａの方向に回転するシロッコファン４によって吸い込まれた空気は、吸気口２から本体ケース１内に入り、本体ケース１内の風路に配置された図示しないフィルタによって浄化される。浄化された空気は、シロッコファン４によって、シロッコファン４の内側から外側へと押し出されて案内壁５にぶつかり、案内壁５に沿ってシロッコファン４の回転方向である矢印Ａの方向へと押し出されて行き排気口３から排出される。
【０００３】
【発明が解決しようとする課題】
しかしながら、従来の空気清浄機では、排気口が本体ケースの側面のうちの１面に設けられているため、舌部５ａから排気口３に至るまでの距離が長くなり、排気口３へ向かって押し出されていく空気が途中で滞ってしまい、効率良く排気できないという問題があった。また、排気口３の面積が制約されるため、排気できる風量が制約され、処理風量を大きくするためには側面を１ａを大きくするする必要があり、本体が大型化してしまうという問題があった。また、排気口の大きさを一定のままで処理風量を大きくすると、排気口を通過する空気の風速が早くなるため、排気口３で風切音が発生し、騒音が大きくなるという問題があった。
本発明は、上記のような問題に鑑みてなされたもので、排気口および案内壁の形状を特定して排気効率を上げることにより、小型で風量が大きくかつ、騒音の小さい空気清浄機を提供することを目的としている。
【０００４】
【課題を解決するための手段】
上記目的を達成するための本発明は、正面に吸気口を有し側面に複数の排気口を有する本体ケースと、前記本体ケース内の風路に設置され吸い込まれた空気を浄化するフィルタと、前記本体ケース内に設置され前記吸気口を設けてなる面と直交するように配置された軸心を中心として回転するシロッコファンと、前記シロッコファンの周囲に設置され前記シロッコファンによって排気される空気を前記排気口へと誘導する案内壁とからなる空気清浄機において、前記排気口は前記シロッコファンの軸心を交点として直交し前記シロッコファンを４等分する２本の仮想軸が、前記側面と交わる点を開口部の終点とし、前記シロッコファンの反回転方向側に開口部の始点を設けた形状とし、前記案内壁の舌部を前記排気口の前記終点部に配置し、前記案内壁の他端部を前記シロッコファンの回転方向側で次の排気口の始点部に配置した構成にしている。
【０００５】
【発明の実施の形態】
以下、本発明の実施例を図に基づいて説明する。
図１は、本発明の実施例を示す吸気口側から本体ケース内部を見た正断面図である。図１に示すように、本発明の空気清浄機は、シロッコファン４の軸心４ａを交点として直交しシロッコファン４を４等分する２本の仮想軸４ｂが本体ケース１の側面１ａと交わる点を終点３ａとし、終点３ａからシロッコファン４の反回転方向となる矢印Ｂ側に始点３ｂを設けた排気口３を、仮想軸４ｂに対応して４つ設けている。また、シロッコファン４の周囲に設置してシロッコファン４によって押し出される空気を排気口３へと誘導する案内壁５も排気口３の数に合わせて４枚設置している。その配置を上部にある排気口３と左側の排気口３' との関係で説明すると、案内壁５の舌部５ａを排気口３の終点部３ａに配置し、他端部５ｂをシロッコファン４の回転方向となる矢印Ａ側で次の排気口３' の始点３' ｂ部に配置している。
上記のように構成される空気清浄機では、シロッコファン４が軸心４ａを中心として矢印Ａ方向に回転することによって吸い込まれた空気は、シロッコファン４の内側から外側へと押し出されて案内壁５にぶつかり、案内壁５に沿って矢印Ａ方向へと押し出されていき、４つの排気口３から排出される。
ここで、案内壁５にぶつかる空気とシロッコファン４によって押し出されて来た空気によって、シロッコファン４と案内壁５との間で圧力が発生する。舌部５ａとシロッコファン４との距離は他端部５ｂとシロッコファン４との距離よりも短いため、その圧力は舌部５ａ部分で最も高くなり、排気口３とつながっている他端部５ｂへ行くにつれて低くなり、舌部５ａ部分から排気口へ向かう圧力勾配ができる。その結果、案内壁５に沿って排気口３へと押し出されていく空気は、圧力勾配によってスムースに排気口３へと運ばれていき、舌部５ａから排気口３までの距離も短いので空気抵抗が小さくなり途中で滞ることもなく、効率良く排出される。さらに、シロッコファン４の軸心４ａを交点として直交するシロッコファン４を４等分する２本の仮想軸４ｂが本体ケース１の側面１ａと交わる点に対応して４つの排気口３を設けており、排気面積を大きくとることができるので、処理風量を大きくすることができる。また、排出される空気の排気口３での風速を上げずに処理風量を大きくすることができるので、排気口３で風切音が発生せず、騒音を抑えることができる。
ここで、排気口３の終点３ａを、仮想軸４ｂと側面１ａとの交点部を越えてシロッコファン４の回転方向である矢印Ａの方向へ広げたほうが排気口３の開口面積を大きくとれて効率が良いように思われるが、実際には、舌部５ａから排気口３までの距離が短くなり、シロッコファン４と案内壁５との間での圧力が充分に発生しなくなるため、排気効率は逆に低下してしまうことが分かっている。
次に本発明の他の実施例について説明する。
図２は、本発明の他の実施例を示す吸気口側から本体ケース内部を見た正断面図である。図２において、排気口３を左右と上部の３つとしており、シロッコファン４の下部を通って左右の排気口３をつなぐ案内壁５' は、その舌部５' ａを左側の排気口３' の終点部３' ａに配置し、他端部５' ｂをシロッコファン４の回転方向となる矢印Ａ側で次となる右側の排気口３''' の始点３''' ｂ部に配置している。
上記のように構成される空気清浄機では、排気口３を左右と上部の３つとしたことで、床置きも可能となっている。ここで、排気口３を３つとしたことで、左側の排気口３' と右側の排気口３''をつなぐ案内壁５' が他の案内壁５に対して長くなってしまう。しかし、舌部５' ａ部から右側の排気口３''' 部へ向かう圧力勾配を生じ、右側の排気口３''' へと向かってスムースに空気を運ぶには十分短いため、空気が途中で滞ることはなく、排気口３を４つとした場合と同様に効率良く空気を排出することができる。
【０００６】
【発明の効果】
以上述べたように、本発明によればつぎのような効果がある。
シロッコファンの軸心を交点として直交するシロッコファンを４等分する２本の仮想軸が本体ケースの側面と交わる点に対応して複数の排気口を設けたので、排気面積を大きくとることができ、本体ケースを大きくすることなく処理風量を大きくすることができる。したがって、排出される空気の排気口での風速を上げずに処理風量を大きくすることができるので、排気口で風切音が発生せず、騒音を抑えることができる。
また、案内壁の舌部を排気口の終点部に配置し、案内壁の他端部をシロッコファンの回転方向側で次の排気口の始点部に配置したので、案内壁との空気抵抗が小さくなり排気効率の高い空気清浄機を得る効果がある。
【図面の簡単な説明】
【図１】本発明の空気清浄機を示す吸気口側からみた正断面図である。
【図２】本発明の他の実施例を示す吸気口側からみた正断面図である。
【図３】従来の空気清浄機を示す斜視図である。
【図４】従来の空気清浄機を示す吸気口側からみた正断面図である。
【符号の説明】
１  本体ケース
１ａ  側面
２  吸気口
３  排気口
３ａ  終点
３ｂ  始点
３' 左側の排気口
３''  下部の排気口
３''' 右側の排気口
４  シロッコファン
４ａ  軸心
４ｂ  仮想軸
５  案内壁
５ａ  舌部
５ｂ  他端部
Ａ  回転方向
Ｂ  反回転方向
【図１】
0004274664.tif 000002
【図２】
0004274664.tif 000003
【図３】
0004274664.tif 000004
【図４】
0004274664.tif 000005